(57)【要約】【課題】本発明は、液体を流通させたときに、液体中の不溶物が流路に滞留することを防ぐことを可能にする医療用コネクタ及びそれを用いたチューブ接続構造を提供することを目的とする。【解決手段】本発明の医療用コネクタは、一端側に生体に用いるチューブが接続され、前記チューブを流動する液体が通過する流路が内部に形成される、筒体を備える医療用コネクタであって、前記流路と仮想平面との接線が、前記流路の延在長さに亘って連続的に延び、前記接線に沿って前記仮想平面に直交する断面において、前記流路を画成する２本の線のうち前記接線以外の線は、前記接線方向に対して傾斜する、ことを特徴とするものである。【選択図】図１
2014147584.tif 000002
【特許請求の範囲】
【請求項１】
一端側に生体に用いるチューブが接続され、前記チューブを流動する液体が通過する流路が内部に形成される、筒体を備える医療用コネクタであって、
前記流路と仮想平面との接線が、前記流路の延在長さに亘って連続的に延び、
前記接線に沿って前記仮想平面に直交する断面において、前記流路を画成する２本の線のうち前記接線以外の線は、前記接線方向に対して傾斜する、
ことを特徴とする、医療用コネクタ。
【請求項２】
前記チューブを流動する液体が生体排液であることを特徴とする、請求項１に記載の医療用コネクタ。
【請求項３】
請求項１に記載の医療用コネクタを、第一コネクタ及び／又は第二コネクタとして有し、２本のチューブのうちの一方のチューブの端部に設けられる該第一コネクタと、他方のチューブの端部に設けられて、前記第一コネクタに嵌合可能な第二コネクタとで構成したことを特徴とするチューブ接続構造。
【請求項４】
二本のチューブのそれぞれの端部に設けられて、互いに嵌め合わされる、請求項１に記載の医療用コネクタを、第一コネクタ及び／又は第二コネクタとして有し、
前記第一コネクタと前記第二コネクタとの非嵌合状態で、前記チューブを流動する液体の漏出を防止するとともに、前記第一コネクタと前記第二コネクタとの嵌合状態で、前記２本のチューブの相互を、前記液体の通流可能に接続し、
前記第一コネクタの筒体を外筒、前記第二コネクタの筒体を内筒としたときに、
前記第一コネクタは、前記外筒の内側に延びて、前記チューブと前記外筒とを連通させる連通部と、該連通部の周囲に設けられ、前記非嵌合状態で、前記外筒の他端側の開口部を密閉する環状弁体とを備え、
前記第二コネクタは、前記嵌合状態で、前記外筒の内側に捩じ込まれて前記環状弁体を前記外筒の内側に押し込む内筒と、前記非嵌合状態で、前記内筒の他端側部分の内側に嵌り込んで該内筒の他端側を密閉するとともに、前記嵌合状態で、前記連通部により前記内筒の内側に押し込まれる内側弁体とを備え、
前記外筒及び前記内筒は、内部に前記液体の流路が形成されて、チューブが取り付けられるチューブ連結部、及び、前記チューブ連結部に対して中心軸線の周りに回転可能に該チューブ連結部に取り付けた回転筒体で構成される、
ことを特徴とするチューブ接続構造。
【請求項５】
前記外筒及び前記内筒は、前記底部画成線を通り前記仮想平面に直交する平面上に、重りを有する、ことを特徴とする、請求項４に記載のチューブ接続構造。
【発明の詳細な説明】
【技術分野】
【０００１】
本発明は、医療用コネクタ及びチューブ接続構造に関し、特に、液体を流通させたときに、液体中の不溶物が流路に滞留することを防ぐことを可能にする医療用コネクタ及びそれを用いたチューブ接続構造に関する。
【背景技術】
【０００２】
医療分野において生体に用いるチューブを接続するための医療用コネクタとしては、例えば、図６（ａ）に示すものが知られている。この従来の医療用コネクタ８１は、図６（ｂ）に示すように、筒体８２を備え、該筒体８２はその一端８２ａ側に生体に用いるチューブ（図示せず）が接続され、チューブを流動する液体が通過する流路８３が内部に形成される。なお、この医療用コネクタ８１の筒体８２の他端８２ｂ側には、別の医療用コネクタ９１が接続され、全体としてチューブ接続構造をなしている。
【０００３】
従来の医療用コネクタ８１について、図６（ｃ）に、流路８３の軸線を含む平面Ｐ０による断面図を示し、図６（ｄ）に、流路８３の軸線に垂直な平面による断面図を示す。ここで、医療用コネクタ８１では、流路８３を画成する線を天部画成線Ｌｕ及び底部画成線Ｌｂとしたとき、Ｌｕ及びＬｂは共に、流路８３の軸線に近づくように軸線方向に対して傾斜する傾斜部Ｓを有する。
【０００４】
このように、従来の医療用コネクタ８１では、一端８２ａ側で流路８３を比較的狭くすることによって、流路８３を通過する液体の流速を大きくして、液体に含まれる不溶物が他端８２ｂ側から一端８２ａ側に流れることを容易にしている。
【先行技術文献】
【特許文献】
【０００５】
【特許文献１】国際公開第２００７／０１４２８１号
【発明の概要】
【発明が解決しようとする課題】
【０００６】
しかしながら、上記従来の医療用コネクタ８１では、流路８３の軸線方向を略水平方向にして用いた場合、チューブを流動する液体に含まれる不溶物が、底部画成線Ｌｂの傾斜部Ｓ付近の流路に滞留するという問題があった。
【０００７】
そこで、本発明は、液体を流通させたときに、液体中の不溶物が流路に滞留することを防ぐことを可能にする医療用コネクタ及びそれを用いたチューブ接続構造を提供することを目的とする。
【課題を解決するための手段】
【０００８】
本発明の要旨は以下の通りである。
本発明の医療用コネクタは、一端側に生体に用いるチューブが接続され、前記チューブを流動する液体が通過する流路が内部に形成される、筒体を備える医療用コネクタであって、前記流路と仮想平面との接線が、前記流路の延在長さに亘って連続的に延び、前記接線に沿って前記仮想平面に直交する断面において、前記流路を画成する２本の線のうち前記接線（以下、「底部画成線」ともいう）以外の線（以下、「天部画成線」ともいう）は、前記接線方向に対して傾斜する、ことを特徴とする。
本発明の医療用コネクタによれば、接線（底部画成線）が水平方向を向くように、この医療用コネクタを用いた場合に、接線（底部画成線）が直線であるために、不溶物を含む液体を流通させたときに、不溶物が流路に滞留することを防ぐことができる。
なお、「前記流路と仮想平面との接線が、前記流路の延在長さに亘って連続的に延び（る）」とは、流路と仮想平面との接点が、流路の延在長さに亘って連続的に存在し、この接点の集合が線をなすこと、すなわち、接線（底部画成線）が直線となることを意味する。
【０００９】
また、本発明の医療用コネクタは、前記チューブを流動する液体が生体排液であることが好ましい。なお、「生体排液」とは、尿、腹水／胸水、胆汁、消化管液、術野浸出液、脳脊髄液のドレナージ、腹膜透析液等が挙げられる。
上記構成とすれば、生体排液を流通させたときに、生体排液中の不溶物（例えば、尿中の尿砂）が流路に滞留することを防ぐことができる。
【００１０】
本発明のチューブ接続構造は、上記医療用コネクタを第一コネクタ及び／又は第二コネクタとして有し、２本のチューブのうちの一方のチューブの端部に設けられる該第一コネクタと、他方のチューブの端部に設けられて、前記第一コネクタに嵌合可能な第二コネクタとで構成したことを特徴とする。
本発明のチューブ接続構造によれば、液体を流通させたときに、液体中の不溶物が流路に滞留することを防ぐことができる。
【００１１】
また、本発明のチューブ接続構造は、二本のチューブのそれぞれの端部に設けられて、互いに嵌め合わされる、上記医療用コネクタを、第一コネクタ及び／又は第二コネクタとして有し、前記第一コネクタと前記第二コネクタとの非嵌合状態で、前記チューブを流動する液体の漏出を防止するとともに、前記第一コネクタと前記第二コネクタとの嵌合状態で、前記２本のチューブの相互を、前記液体の通流可能に接続し、前記第一コネクタの筒体を外筒、前記第二コネクタの筒体を内筒としたときに、前記第一コネクタは、前記外筒の内側に延びて、前記チューブと前記外筒とを連通させる連通部と、該連通部の周囲に設けられ、前記非嵌合状態で、前記外筒の他端側の開口部を密閉する環状弁体とを備え、前記第二コネクタは、前記嵌合状態で、前記外筒の内側に捩じ込まれて前記環状弁体を前記外筒の内側に押し込む内筒と、前記非嵌合状態で、前記内筒の他端側部分の内側に嵌り込んで該内筒の他端側を密閉するとともに、前記嵌合状態で、前記連通部により前記内筒の内側に押し込まれる内側弁体とを備え、前記外筒及び前記内筒は、内部に前記液体の流路が形成されて、チューブが取り付けられるチューブ連結部、及び、前記チューブ連結部に対して中心軸線の周りに回転可能に該チューブ連結部に取り付けた回転筒体で構成される、ことが好ましい。
上記構成とすれば、液体を流通させたときに、液体中の不溶物が流路に滞留することを防ぐことができるという本発明の医療用コネクタの効果を得ることができる。
【００１２】
更に、本発明のチューブ接続構造では、前記外筒及び前記内筒は、前記底部画成線を通り前記仮想平面に直交する平面上に、重りを有する、ことが好ましい。
上記構成とすれば、液体をこの医療用コネクタに流通させたときに、液体中の不溶物が流路に滞留することを確実に防ぐことができる。
【発明の効果】
【００１３】
本発明の医療用コネクタ及びチューブ接続構造によれば、液体を流通させたときに、液体中の不溶物が流路に滞留することを防ぐことができる。
【図面の簡単な説明】
【００１４】
【図１】（ａ）、（ｂ）及び（ｃ）は、本発明の医療用コネクタの一例を示す図であり、（ｄ）、（ｅ）及び（ｆ）は、本発明の医療用コネクタの他の一例を示す図である。
【図２】図１（ａ）の医療用コネクタを用いた本発明のチューブ接続構造の一例を、非嵌合状態で示す断面図である。
【図３】図１（ａ）の医療用コネクタを用いた本発明のチューブ接続構造の一例を、嵌合状態で示す断面図である。
【図４】図２のチューブ接続構造が備える第一コネクタの各構成部材を分解して示す斜視図である。
【図５】図２のチューブ接続構造が備える第二コネクタの各構成部材を分解して示す斜視図である。
【図６】（ａ）は、従来のチューブ接続構造の、流路の軸線方向に沿う平面による断面図であり、（ｂ）、（ｃ）及び（ｄ）は、従来のチューブ接続構造が備える医療用コネクタを示す図である。
【発明を実施するための形態】
【００１５】
以下、図面を参照して、本発明の医療用コネクタ及び本発明のチューブ接続構造の実施形態について詳細に例示説明する。
【００１６】
（医療用コネクタ）
図１（ａ）、（ｂ）及び（ｃ）は、本発明の医療用コネクタの一例を示す図である。
図１（ａ）に示すように、本発明の医療用コネクタの一例１は、筒体２を備え、該筒体２はその一端２ａ側に生体に用いるチューブ（図示せず）が接続され、チューブを流動する液体が通過する流路３が内部に形成される。筒体２の他端２ｂ側には、別のコネクタ（図示せず）が接続される。
【００１７】
ここで、流路３と仮想平面Ｐとの接線Ｌが、流路３の延在長さに亘って連続的に延びる。
図１（ｂ）は、医療用コネクタ１の、接線（底部画成線）Ｌに沿って仮想平面Ｐに直交する平面による、断面図（図１のＡ−Ａ断面図）を示す。ここで、流路３は、接線Ｌと該接線Ｌ以外の線とにより画成される。このとき、接線Ｌを底部画成線Ｌｂとし、接線以外の線を天部画成線Ｌｕとする。
また、図１（ｃ）は、医療用コネクタ１の、接線Ｌ（底部画成線Ｌｂ）に垂直な平面による、断面図（図１のＢ−Ｂ断面図）である。図１（ｃ）では、医療用コネクタ１における流路３の断面形状が円である。
【００１８】
このとき、天部画成線Ｌｕは、接線Ｌ方向に対して、すなわち、底部画成線Ｌｂ方向に対して、傾斜する。
なお、図１（ｂ）の医療用コネクタ１では、天部画成線Ｌｕが、他端２ｂ側から一端２ａ側に向かって天部画成線Ｌｕと底部画成線Ｌｂとの間の、底部画成線Ｌｂと直交する方向の距離を漸減させるように、傾斜する。
【００１９】
本発明の医療用コネクタでは、接線（底部画成線）が水平方向を向くように、この医療用コネクタを用いた場合に、流路の底部が流路の延在方向に真っ直ぐに延びているために、液体を流通させたときに、液体中の不溶物が流路に滞留することを防ぐことができる。
【００２０】
本発明の医療用コネクタにおける天部画成線は、底部画成線に対して傾斜している限り、特に限定されることはなく、ジグザグ等の複数の直線、波形等の曲線であってもよい。
【００２１】
図１（ｄ）、（ｅ）及び（ｆ）は、本発明の医療用コネクタの他の一例を示す図である。なお、以下では、図１（ａ）、（ｂ）及び（ｃ）に示す医療用コネクタ１と同様の要素には同一の符号を付し、その説明は省略する。
図１（ｆ）では、医療用コネクタ１’における流路３の断面形状が、半楕円である。この医療用コネクタ１’では、流路３と仮想平面Ｐとの接線Ｌを含む接面Fが、流路３の延在長さに亘って連続的に延びる。
上記接面Fを有する構成としても、液体を流通させたときに、液体中の不溶物が流路に滞留することを防ぐことができる。
【００２２】
図１（ｃ）及び（ｆ）では、医療用コネクタ１、１’における流路３の形状が、それぞれ、円、半楕円であるが、本発明の医療用コネクタでは、これに限定されることなく、流路の形状を他の丸みを帯びた形や矩形とすることもできる。
【００２３】
ここで、この医療用コネクタに接続されるチューブを流通させる液体は、生体排液とすることが好ましい。
チューブ流動させる液体を生体排液とすれば、生体排液をこの医療用コネクタに流通させたときに、生体排液中の不溶物（例えば、尿中の尿砂）が流路に滞留することを防ぐことができる。
【００２４】
なお、「生体排液」とは、例えば、尿、血液、腹水／胸水、胆汁、消化管液、術野浸出液、術野の洗浄液、脳脊髄液のドレナージ液、腹膜透析液その他の液体を指す。
【００２５】
（チューブ接続構造）
図２は、図１（ａ）の医療用コネクタを用いたチューブ接続構造を、非嵌合状態で示す断面図である。
図２に示すように、チューブ接続構造１００は、図１に示す医療用コネクタを第一コネクタ及び第二コネクタとして有する（図２では、それぞれ、１、５０で表す）。ここで、第一コネクタ１は、１本のチューブ（図示せず）をその筒体の一端４ａ側に備え、第二コネクタ５０は、１本のチューブ（図示せず）をその筒体の一端５４ａ側に備え、一例のチューブ接続構造１００は、合計２本のチューブを備える。そして、第一コネクタ１及び第二コネクタ５０は、それぞれの筒体の他端４ｂ、５４ｂ側で互いに嵌め合わされる。
ここで、第一コネクタ１が備える筒体を内筒４、第二コネクタ５０が備える筒体を外筒５４とする。
【００２６】
第一コネクタ１は、内筒４の一端４ａ側にチューブが接続され、他端４ｂ側に内向きフランジ部４ｃを形成するとともに、外筒５４の内径よりも僅かに小さい外径を有する内筒４と、内筒４の底部画成線（Ｌｂ）上に配置されて、第二コネクタ５０との非嵌合状態で、内筒４の内向きフランジ部４ｃの内側に嵌り込んでこれを密閉する内側弁体１１とを備える。
更に、第一コネクタ１は、内側弁体１１を内筒４の内向きフランジ部４ｃの内側に向けて付勢する、コイルばね等の第一弾性体１２を備える。
【００２７】
第二コネクタ５０は、一端５４ａ側にチューブが接続されると共に、他端５４ｂ側に開口部を有する外筒５４と、外筒５４の内側で外筒５４の一端５４ａ側から他端５４ｂ側の開口部まで延びて、チューブと外筒５４とを連通させる連通部６１と、連通部６１の周囲に、すなわち、連通部６１と外筒５４との間に設けられ、第二コネクタ５０との非嵌合状態で、外筒５４の他端５４ｂ側の開口部を密閉する、外筒５４の底部画成線Ｌｂに沿う方向に変位可能な環状弁体６２とを備える。
更に、一例のチューブ接続構造１００においては、第二コネクタ５０は、環状弁体６２の背面（図２では環状弁体６２の右側の面）に沿って設けた剛性支持部材６３と、該剛性支持部材６３を介して、環状弁体６２を外筒５４の他端５４ｂ側の開口部に向けて付勢する、コイルばね等の第二弾性体６４とを備える。
更に、第二コネクタ５０の連通部６１は、円管状の形状を有し、底壁６１ａと側壁６１ｂとを備える。ここで、側壁６１ｂには、通流孔６１ｃが設けられる。
【００２８】
図２に示すような非嵌合状態では、第一コネクタ１と第二コネクタ５０とが離隔しているため、第二コネクタ５０の環状弁体６２が、第二弾性体６４の復元力に基づいて、外筒５４の他端５４ｂ側に摺動変位すると共に、第二コネクタ５０の環状弁体６２が、外筒５４の他端５４ｂ側の開口部で、外筒５４と連通部６１の底壁６１ａとの間に嵌まり込む。これにより、外筒５４の他端５４ｂ側の開口部は密閉される。
またここでは、第一コネクタ１の内側弁体１１が、第一弾性体１２の復元力によって、内筒４の他端４ｂ側の内向きフランジ部４ｃの内側に向けて変位すると共に、該内向きフランジ部４ｃの内側に嵌まり込む。これにより、内筒４の他端４ｂ側は密閉される。
その結果、内側弁体１１及び環状弁体６２のそれぞれが閉じて、２本のチューブの相互を流動する液体が第一コネクタ１及び第二コネクタ５０から漏出することを防ぐことができる。
【００２９】
図３は、図１（ａ）の医療用コネクタを用いたチューブ接続構造を、嵌合状態で示す断面図である。
上記構成を有する第一コネクタ１と第二コネクタ５０とは、第一コネクタ１の内筒４が第二コネクタ５０の外筒５４の内側に挿入されることによって、嵌め合わせられる。
以下、図３を参照して、かかる嵌め合わせに際する各構成部材の作用を記載する。まず、外筒５４の内側に挿入される内筒４が、その内向きフランジ部４ｃで、外筒５４の開口部を密閉する環状弁体６２を、該環状弁体６２を付勢する第二弾性体６４の付勢力に抗して外筒５４の内側に押し込む。これと同時に、内筒４の内向きフランジ部４ｃの内側に挿入される連通部６１の底壁６１ａが、第一コネクタ１の内側弁体１１を、該内側弁体１１を付勢する第一弾性体１２の付勢力に抗して内筒４の内側に押し込む。こうして、第一コネクタ１と第二コネクタ５０とが嵌め合わせられる。
【００３０】
嵌合状態では、第一コネクタ１と第二コネクタ５０とが嵌め合わせられているため、第一コネクタ１の内側弁体１１及び第二コネクタの環状弁体６２のそれぞれが開いている。そのため、第二コネクタ５０の一端側に接続されたチューブからの液体が、連通部６１の側壁６１ｂに設けた通流孔６１ｃを経て、外筒５４及び内筒４を流動して、第一コネクタ１の一端側に接続されたチューブに流入する。
その結果、液体を、第二コネクタ５０及び第一コネクタ１を介して、２本のチューブ相互間を通流させることができる。
【００３１】
図２、図３に示す、チューブ接続構造１００では、第一コネクタの内筒４は、内部に液体の流路３が形成されて、チューブが取り付けられる第一チューブ連結部１３、及び、その周りに回転可能にチューブ連結部１３に取り付けられた第一回転筒体１４を備える。また、第二コネクタの外筒５４も、内部に液体の流路５３が形成されて、チューブが取り付けられる第二チューブ連結部６５、及び、その周りに回転可能に第二チューブ連結部６５に取り付けられた第二回転筒体６６を備える。
【００３２】
コネクタが回転筒体を含むことによって、第一コネクタ１及び第二コネクタ５０が、それぞれ独立して、流路方向の周りに回転することが可能になる。そのため、第一コネクタ１と第二コネクタ５０とを嵌め合わせた際に、それぞれのコネクタに接続されたチューブが捩れることを防ぐことができる。そのため、チューブ接続構造１００によれば、第一コネクタ１及び第二コネクタ５０の流路の底部画成線Ｌｂを鉛直方向下側にして、この医療用コネクタ１、５０を用いることが容易になる。これにより、このチューブ接続構造１００に、液体を流通させたときに、第一チューブ１及び第二チューブ５０において、液体中の不溶物が流路３、５３に滞留することを容易に防ぐことができる。
【００３３】
なお、チューブ接続構造１００では、第一コネクタ１の内筒４及び第二コネクタ５０の外筒５４が、チューブ連結部１３、６５及び回転筒体１４、６６を含む、上記構成に限定されることなく、第一コネクタ１の内筒４及び第二コネクタ５０の外筒５４の少なくとも一方が回転筒体を含んでいればよい。すなわち、チューブ接続構造１００では、例えば、内筒４を、チューブ連結部１３及び回転筒体１４を含むものとし、外筒５４を、チューブ連結部６５と、それに固定して取り付けられ、チューブ連結部６５の周りを回転しない、円筒状部材（図示せず）とで構成することもできる。
上記円筒状部材を有する構成としても、第一コネクタ１及び第二コネクタ５０が、それぞれ独立して、流路方向の周りに回転することが可能になり、このチューブ接続構造１００に、液体を流通させたときに、第一チューブ１及び第二チューブ５０において、液体中の不溶物が流路３、５３に滞留することを容易に防ぐことができる。
【００３４】
ここで、底部画成線Ｌｂに垂直な平面による、第一コネクタ１の断面を示す、図１（ｃ）において、底部画成線Ｌｂを点Ｘで表し、仮想平面を直線Ｌ１で表す。このとき、チューブ接続構造１００が備える第一コネクタ１では、点Ｘを通り直線Ｌ１に直交する直線Ｌ２上に、重り１５が設けられる。言い換えれば、底部画成線Ｌｂを通り、仮想平面Ｐに直交する平面（図１（ｃ）では、Ｌ２で表される）上に、重り１５が設けられる。
【００３５】
ここに、重りの作用効果を説明する。図１（ｃ）では、筒体２の重心を点Ｙ、重りの重心をＺとしたときに、筒体２の断面形状、流路３の断面形状及び重りの断面形状の対称性により、点Ｙ及び点Ｚが直線Ｌ２上に位置するため、直線Ｌ２に関して両側のコネクタの部分ｃｐ１、ｃｐ２の、点Ｙのまわりの慣性モーメントが等しくなる。そのため、重り１５を含むコネクタ部分を鉛直方向下側にして、両部分が点Ｙに関してつり合い、この医療用コネクタ１を用いた際に、底部画成線Ｌｂが、水平方向を向く直線となる。これにより、液体を流通させたときに、液体中の不溶物が流路に滞留することを確実に防ぐことができる。
なお、「筒体の重心」とは、底部画成線に垂直な平面による筒体の断面の図形的な意味での重心を指す。
【００３６】
上記構成とすれば、本発明のチューブ接続構造に用いられる、回転筒体を備えるコネクタにおいて、底部画成線が、水平方向を向きやすくなるため、液体中の不溶物が流路に滞留することを確実に防ぐことができる。
【００３７】
上記重りの作用効果を奏する限り、あらゆる態様の重りをも、本発明のチューブ接続構造に設けられる重りに含めることができる。
【００３８】
なお、図２、３に示すように、第一コネクタ１では、円柱形状を有し、内筒４と比較して比重の大きい部材が、内筒４の一部の、流路３の底部画成線Ｌｂよりも流路外側にある位置に、流路３の延在長さに沿って、設けられている。
【００３９】
第一コネクタ１では、流路３の底部画成線Ｌｂよりも外方に位置する内筒４の一部に、重り１５を設ける代わりに、この内筒４の一部で、筒体の厚さを相対的に大きくすることもできる。
【００４０】
なお、チューブ接続構造１００では、図２、３に示すように、第二コネクタ５０でも、第一コネクタ１と同様に、重り６８が設けられる。
【００４１】
以下、本発明のチューブ接続構造の他の部材について、詳細に記載する。
【００４２】
図４、図５に、それぞれ、図２のチューブ接続構造１００が備える第一コネクタ１及び第二コネクタ５０の各構成部材を分解した図を、斜視図で示す。
チューブ接続構造１００では、図４に示すように、第一コネクタ１の第一回転筒体１４の外面に、第一回転筒体１４の他端に開口すると共に、第一回転筒体１４の他端側から一端側に向かって延びて、第一回転筒体１４の一端側の端部側で第一回転筒体１４の周方向に向けて直角に折れ曲がる屈曲箇所１６ａを有するガイド溝部１６が、２個設けられる。
また、図５に示すように、第二コネクタ５０の第二回転筒体６６の他端側の開口部に、第二回転筒体６６の内側に向けて突出し、相互に対向する２個の内向き突起部６７が設けられる。
なお、内向き突起部６７は、１個以上設けられていればよく、ガイド溝部１６は、内向き突起部６７の個数に応じた個数だけ設けられていればよい。
【００４３】
第一コネクタ１と第二コネクタ５０とが嵌め合わせられる際、まず、第一コネクタ１が第二コネクタ５０に、（捩られることなく）押し込まれ、第二コネクタ５０の内向き突起部６７のそれぞれが、対応する第一コネクタ１のガイド溝部１６のそれぞれの内側で、第一回転筒体１４の他端側から一端側に向かって、摺動する。次いで、第二コネクタ５０の内向き突起部６７が、第一回転筒体１４の屈曲箇所１６ａに達したところで、第一コネクタ１が第二コネクタ５０に対して相対的に回転され、捩じ込まれることによって、押し縮められた第一弾性体１２及び第二弾性体６４に、底部画成線方向の復元力が生ずる。そして、内向き突起部６７が、この復元力に基づいて、ガイド溝部１６の、第一回転筒体１４の周方向に延びる部分の溝壁面に摩擦係合するので、第一コネクタ１と第二コネクタ５０とが相互に固定される。
【００４４】
ユーザーが、第一コネクタ１を第二コネクタ５０に捩じ込む際、第二チューブ連結部６５に接続されたチューブが、外筒５４の周りに捩れるため、第二コネクタ５０の捩じ込みに比較的大きな力が必要となり、第一コネクタ１と第二コネクタ５０との嵌め合わせが困難となる場合がある。
ここで、チューブ接続構造１００は、第一コネクタの内筒４及び第二コネクタ５０の外筒５４が、チューブ連結部１３、６５及び回転筒体１４、６６を含むため、第二コネクタ５０を回転させることなく、第一回転筒体１４を回転させることによって、第二回転筒体６６の内向き突起部６７を第一回転筒体１４のガイド溝部１６を摺動させ、第一回転筒体１４の屈曲箇所１６ａに到達させ、第一コネクタ１と第二コネクタ５０とを相互に固定することができる。
そのため、第一コネクタ１と第二コネクタ５０との嵌め合わせを、捩じり込む力が比較的小さい条件の下で、容易に行うことができる。
【００４５】
第一コネクタ１では、第一回転筒体１４が第一チューブ連結部１３に取付けられる位置に、第一回転筒体１４の外表面から外側に向かって、第一回転筒体１４の全周に亘って盛り上がる、環状の隆起部１７が形成される。この隆起部１７は、第一チューブ連結部１３の端部の周囲に嵌め込まれ、第一回転筒体１４は第一チューブ連結部１３に取り付けられる。
第一回転筒体１４に形成した隆起部１７の内面には、図２、図３に示すように、該内面から外側に向かって、第一回転筒体１４の全周に亘って窪む、環状の抜け止め凹部１８が形成される。
第一チューブ連結部１３の端部の、第一回転筒体１４に設けられる抜け止め凹部１８の位置に対応する位置に、第一チューブ連結部１３の外表面から外側に向かって、第一チューブ連結部１３の全周に亘って突出する、抜け止め凸部１９が設けられる。
抜け止め凹部１８及び抜け止め凸部１９は、相互に係合されて、第一回転筒体１４が第一チューブ連結部１３から抜け出すことを防止する。
【００４６】
ここで、第一回転筒体１４と第一チューブ連結部１３との間には、Оリング、Ｘリング、Ｖリングその他のシール部材を挟み込むことが好ましい。シール部材を配設すれば、内部を流動する液体の漏出を防止することができる。
【００４７】
なお、チューブ接続構造１００では、第一回転筒体１４に抜け止め凸部を設けると共に、第一チューブ連結部１３に抜け止め凹部を設けることもできる。
【００４８】
またなお、チューブ接続構造１００では、図２、３に示すように、第二コネクタ５０も、隆起部６９、抜け止め凹部５８、及び抜け止め凸部５９が設けられる。
【００４９】
図４に示すように、第一チューブ連結部１３は、内部にリング状の固定フレーム２０ａを有し、この固体フレーム２０ａは、３本の連結アーム２０ｂによって、固体フレーム２０ａに連結される支持体２０ｃを有する。
この支持体２０ｃは、内側弁体１１を付勢する第一弾性体１２を、内筒４の一端側から支持する。
なお、連結アーム２０ｂは、１若しくは２本または、４本以上設けることもできる。
【００５０】
また、図４に示すように、内側弁体１１と第一弾性体１２との間には、円盤部に３本の脚部２１ａを設けてなるガイド部材２１が、キャップ状をなす内側弁体１１の内側に嵌め込んで、配設される。ガイド部材２１は、内筒４内を変位する内側弁体１１の、内筒４の底部画成線Ｌｂ方向に沿う直線運動をガイドする。また、支持体２０ｃの外面には、脚部２１ａのそれぞれが入り込んで摺動する３本の摺動溝２０ｄが形成される。
また、このようなガイド部材および摺動溝の配設本数ないし形状、寸法等は適宜変更することができる。
【００５１】
一例のチューブ接続構造１００では、図５に示すように、第一コネクタ１と第二コネクタ５０との非嵌合状態で開口部に位置する、第二コネクタ５０の環状弁体６２には、内筒４に設けられた内向き突起部６７の配設位置と対応する位置に、内向き突起部６７が入り込む窪み部分６２ａが設けられている。
【００５２】
また、第二回転筒体６６の内面には、図５に示すように、第二回転筒体６６の延在方向と平行に延びる直線溝５４ｃが、２本設けられる。剛性支持部材６３の外周面は、第二回転筒体６６に設けられた直線溝５４ｃの配設位置に対応する位置に、直線溝５４ｃ内に嵌合して該直線溝５４ｃ内を摺動する嵌合凸部６３ａが設けられる。
上記構成によれば、環状弁体６２の、剛性支持部材６３と共にする第二回転筒体６６内での変位を、常に、第二回転筒体６６の延在方向と平行に、且つ第二回転筒体６６に対する同一姿勢で、行わせることができる。
【００５３】
第一チューブ連結部１３及び第二チューブ連結部６５は、それぞれ、その一端側に管状部分を、他端側に円錐台状部分を有する。この管状部分は、チューブの端部に挿入されて該端部を摩擦係合させる複数のテーパ状段差を形成した外面を有し、また、円錐台状部分は、管状部分に連続して形成されて、第一回転筒体１４に向けて内外径が漸増する。
【００５４】
以下、本発明のチューブ接続構造に用いられる各構成部材の物性について記載する。
環状弁体及び内側弁体に用いられる素材としては、ゴム材料、樹脂材料その他の弾性材料が挙げられる。
【００５５】
環状弁体、弁体、並びに第一弾性体及び第二弾性体以外の各構成部材に用いられる、剛性を備える素材としては、例えば、ポリエチレン、ポリプロピレン、エチレン−プロピレン共重合体等のポリオレフィン；エチレン−酢酸ビニル共重合体（ＥＶＡ）；ポリ塩化ビニル；ポリ塩化ビニリデン；ポリスチレン；ポリアミド；ポリイミド；ポリアミドイミド；ポリカーボネート；ポリ−（４−メチルペンテン−１）；アイオノマー；アクリル樹脂；ポリメチルメタクリレート；アクリロニトリル−ブタジエン−スチレン共重合体（ＡＢＳ樹脂）；アクリロニトリル−スチレン共重合体（ＡＳ樹脂）；ブタジエン−スチレン共重合体；ポリエチレンテレフタレート（ＰＥＴ）、ポリブチレンテレフタレート（ＰＢＴ）、ポリシクロヘキサンテレフタレート（ＰＣＴ）等のポリエステル；ポリエーテル；ポリエーテルケトン（ＰＥＫ）；ポリエーテルエーテルケトン（ＰＥＥＫ）；ポリエーテルイミド；ポリアセタール（ＰＯＭ）；ポリフェニレンオキシド；変性ポリフェニレンオキシド；ポリサルフォン；ポリエーテルサルフォン；ポリフェニレンサルファイド；ポリアリレート；芳香族ポリエステル（液晶ポリマー）；ポリテトラフルオロエチレン、ポリフッ化ビニリデン、その他フッ素系樹脂；などが挙げられる。これらの素材は、１種単独で用いてもよく、２種以上を混合して用いてもよく、ポリマーアロイとして用いてもよい。また、その他にも、各種ガラス材、セラミックス材料、金属材料で構成することも可能である。
【００５６】
環状弁体及び弁体等に用いられる、弾性を備える素材としては、例えば、天然ゴム、イソプレンゴム、ブタジエンゴム、スチレン−ブタジエンゴム、ニトリルゴム、クロロプレンゴム、ブチルゴム、アクリルゴム、エチレン−プロピレンゴム、ヒドリンゴム、ウレタンゴム、シリコーンゴム、フッ素ゴムのような各種ゴム材料や、スチレン系、ポリオレフィン系、ポリ塩化ビニル系、ポリウレタン系、ポリエステル系、ポリアミド系、ポリブタジエン系、トランスポリイソプレン系、フッ素ゴム系、塩素化ポリエチレン系等の各種熱可塑性エラストマーが挙げられる。これらの素材は、１種単独で用いてもよく、２種以上を混合して用いてもよい。
【００５７】
筒体の一部に設けられる重りに用いられる素材としては、例えば、ステンレス鋼を含む鉄鋼材料、アルミニウム、銅、チタン等の非鉄材料、ニッケル、コバルト、モリブデン等の耐熱材料、錫、鉛等の低融点金属材料、金、銀、白金等の貴金属材料、及びこれらの合金が挙げられる。
【００５８】
本発明のチューブ接続構造１００は、例えば、患者から排出される尿を蓄尿バッグまで導く、導尿バッグセットの一部に用いることができる。
具体的には、第一コネクタ１の一端側に、尿を蓄尿バッグに導くためのチューブ（バッグ側チューブ）を、第二コネクタ５０の一端側に、患者の膀胱から尿を導くためのチューブ（患者側チューブ）を、接続することによって、一例の導尿バッグセットを構成することができる。
【００５９】
上記導尿バッグセットを用いる際には、蓄尿バッグ側から患者の膀胱側への尿の逆流を防ぐため、第二コネクタ５０の一端側の位置を第一コネクタ１の一端側の位置と比較して高くすることが必須の条件となる。
【００６０】
この導尿バッグセットによれば、上記条件に従う限り、患者の姿勢によらず、第一コネクタ１及び第二コネクタ５０の流路の底部が真っ直ぐとなる。そのため、第一コネクタ１及び第二コネクタ５０に尿を流通させたときに、尿中の尿砂等の不溶物が流路に滞留することを防ぐことができる。
また、この導尿バッグセットによれば、蓄尿バッグを、状況に応じて患者から切り離して用いることができるので、患者が蓄尿バッグから離れて、リハビリや入浴等を行うことができる。
【実施例】
【００６１】
以下、実施例により本発明を更に詳細に説明するが、本発明は下記の実施例に何ら限定されるものではない。
【００６２】
（実施例１、実施例２、比較例１）
本発明の医療用コネクタを用いたチューブ接続構造に、ビーズを含む水（ビーズ含有水）を流動させる、モデル試験を行った。まず一端にチューブを接続した本発明の医療用コネクタを２つ準備し、その他端どうしを接続させて、チューブ接続構造を作製した。次いで、流路の底部画成線の方向が水平方向となるように配置した、このチューブ接続構造に対して、ポンプを用いて、ビーズ含有水を流動させた。流動し終えたビーズ含有水を繰り返しチューブ接続構造に流動させることによって、ビーズ含有水を連続的に循環させた。そして、ビーズが、第一コネクタ（バッグ側コネクタ）及び第二コネクタ（尿カテ側コネクタ）の流路に、どの程度滞留するかを試験した。具体的には、下記の式（Ｉ）により、ビーズ通過率を算出した。
ビーズ通過率（％）＝（コネクタを通過したビーズ個数／ビーズ総数）×１００  （Ｉ）
【００６３】
詳細な試験条件を下記及び表１に示す。
医療用コネクタ：３Ｄｐｒｉｎｔｅｒ品（ＯＢＪＥＴ社製、ＥＤＥＮ５００Ｖ、流路隙間３ｍｍ）
図６（ｃ）における底部画成線Ｌｂ：軸線方向に対する傾斜角度を示すθ１（°）を表１に示す値に設定
図６（ｃ）における天部画成線Ｌｕ：底部画成線に対して傾斜
ポンプ：高流量定量チューブポンプ（ＡＤＶＡＮＴＥＣ社製、ＰＳＰ１７０ＤＡ）
流量：２．５ｍＬ／秒（落差圧１５ｃｍＨ２Ｏに相当）
送液の種類：ビーズ液（ＲＯ水にビーズを加えたもの）
ビーズ：ＰＯＭ球（佐藤鉄工社製、球径１．５ｍｍ、比重１．４）
送液量：１００ｍＬ
ビーズ密度：１．０個／ｍＬ
循環時間：８時間（３回／日の割合での尿廃棄に相当）
【００６４】
評価結果を表１に示す。ビーズ通過率が大きいほど、流通する液体中の不溶物が流路に滞留することを防ぐ効果が高いことを示す。
【００６５】
【表１】
2014147584.tif 000003
【００６６】
実施例１及び実施例２と、比較例１とを比較することにより、底部画成線が直線（θ１＝０°）であり、天部画成線が底部画成線方向に対して傾斜する、流路を有する本発明の医療用コネクタは、底部画成線が直線でない（θ１≠０°）流路を有する従来の医療用コネクタと比較して、流通する液体中の不溶物が流路に滞留することを防ぐ効果が高いことが示された。
【産業上の利用可能性】
【００６７】
本発明の医療用コネクタ及びチューブ接続構造によれば、液体をこの医療用コネクタに流通させたときに、液体中の不溶物が流路に滞留することを防ぐことができる。
【符号の説明】
【００６８】
１      医療用コネクタ（第一コネクタ）
１’    医療用コネクタ
２      筒体
２ａ    筒体の一端
２ｂ    筒体の他端
３      流路
４      内筒
４ａ    内筒の一端
４ｂ    内筒の他端
４ｃ    内向きフランジ部
１１    内側弁体
１２    第一弾性体
１３    第一チューブ連結部
１４    第一回転筒体
１５    重り
１６    ガイド溝部
１６ａ  屈曲箇所
１７    隆起部
１８    抜け止め凹部
１９    抜け止め凸部
２０ａ  固定フレーム
２０ｂ  連結アーム
２０ｃ  支持体
２０ｄ  摺動溝
２１    ガイド部材
２１ａ  脚部
５０    第二コネクタ
５３    流路
５４    外筒
５４ａ  外筒の一端
５４ｂ  外筒の他端
５４ｃ  直線溝
５８    抜け止め凹部
５９    抜け止め凸部
６１    連通部
６１ａ  連通部の底壁
６１ｂ  連通部の側壁
６１ｃ  連通部の通流孔
６２    環状弁体
６２ａ  窪み部分
６３    剛性支持部材
６３ａ  嵌合凸部
６４    第二弾性体
６５    第二チューブ連結部
６６    第二回転筒体
６７    内向き突起部
６８    重り
６９    隆起部
１００  チューブ接続構造
ｃｐ１  コネクタの部分
ｃｐ２  コネクタの部分
Ｌ      接線
Ｌｂ    底部画成線
Ｌｕ    天部画成線
Ｌ１    仮想平面を表す直線
Ｌ２    直線
Ｘ      底部画成線を表す点
Ｙ      筒体の重心
Ｚ      重りの重心
Ｐ      仮想平面
【図１】
2014147584.tif 000004
【図２】
2014147584.tif 000005
【図３】
2014147584.tif 000006
【図４】
2014147584.tif 000007
【図５】
2014147584.tif 000008
【図６】
2014147584.tif 000009